【事件の表示】
　特許第２７０５７９１号に関する訂正審判事件について、次のとおり審決する。
【結　論】
　特許第２７０５７９１号に係る明細書を本件審判請求書に添付された訂正明細書のとおり訂正することを認める。
【理　由】
１．請求の要旨
　本件審判の請求の要旨は、特許第２７０５７９１号発明（昭和６１年（１９８６）４月２１日（パリ条約による優先権主張：１９８５年４月２９日、米国（ＵＳ）、同年８月１９日、米国（ＵＳ）、１９８６年３月２６日、米国（ＵＳ））国際出願、平成９年１０月９日設定登録）の明細書を、審判請求書に添付された訂正明細書のとおり、すなわち下記ａおよびｂのとおり訂正することを求めるものである。
ａ．特許請求の範囲第１項
「１．サンプルを、ＬＡＶ／ＨＴＬＶ−IIIエピトープ部位と免疫学的に競争するエピトープ部位を有するペプチドと混合し、それによって抗体がそのようなペプチドと結合し、特異的結合対複合体を形成し、そして複合体形成の量を決定することを含んで成る、ＬＡＶ／ＨＴＬＶ−IIIウイルス又はＬＡＶ／ＨＴＬＶ−IIIウイルスに対する抗体を検出するための方法において、アッセイ培地中に、８〜５０個アミノ酸から成り、
（Ａ）そして下記のアミノ酸配列：
　　　　　　　　（Ｉ）（１５）
Ａｓｐ‐Ｃｙｓ−Ｌｙｓ−Ｔｈｒ−Ｉｌｅ−Ｌｅｕ−Ｌｙｓ−Ａｌａ−Ｌｅｕ−Ｇｌｙ−Ｐｒｏ−Ａｌａ−Ａｌａ−Ｔｈｒ−Ｌｅｕ−Ｇｌｕ−Ｇｌｕ−Ｍｅｔ‐Ｍｅｔ−Ｔｈｒ−Ａｌａ−Ｃｙｓ，　　
　
　　　　　　　　　（II）（１７）
Ｌｅｕ−Ｌｙｓ−Ｇｌｕ−Ｔｈｒ−Ｉｌｅ−Ａｓｎ−Ｇｌｕ−Ｇｌｕ−Ａｌａ−Ａｌａ−Ｇｌｕ−Ｔｒｐ−Ａｓｐ−Ａｒｇ−Ｖａｌ−Ｈｉｓ−Ｐｒｏ−Ｖａｌ−Ｈｉｓ−Ａｌａ，
　　　　　　　　（IV）（９０）
Ｔｙｒ−Ｓｅｒ−Ｐｒｏ−Ｔｈｒ−Ｓｅｒ−Ｉｌｅ‐Ｌｅｕ−Ａｓｐ−Ｉｌｅ−Ａｒｇ−Ｇｌｎ−Ｇｌｙ−Ｐｒｏ−Ｌｙｓ−Ｇｌｕ−Ｐｒｏ−Ｐｈｅ−Ａｒｇ−Ａｓｐ−Ｔｙｒ‐Ｖａｌ‐Ａｓｐ‐Ａｒｇ−Ｐｈｅ−Ｔｙｒ‐Ｌｙｓ‐Ｔｈｒ−Ｌｅｕ‐Ａｒｇ，
　　　　　　　　（VI）（９７）　
Ａｒｇ‐Ｇｌｕ‐Ｌｅｕ−Ｇｌｕ−Ａｒｇ−Ｐｈｅ‐Ａｌａ−Ｖａｌ−Ａｓｎ−Ｐｒｏ−Ｇｌｙ−Ｌｅｕ−Ｌｅｕ−Ｇｌｕ−Ｔｈｒ−Ｓｅｒ−Ｇｌｕ−Ｇｌｙ−Ｃｙｓ−Ａｒｇ−Ｇｌｎ−Ｉｌｅ−Ｌｅｕ−Ｇｌｙ−Ｇｌｎ−Ｌｅｕ−Ｇｌｎ−Ｐｒｏ−Ｓｅｒ−Ｌｅｕ−Ｇｌｎ−Ｔｈｒ，
　　　　　　　　（VII）（７１）　
Ａｓｐ−Ｔｈｒ−Ｇｌｙ−Ｈｉｓ‐Ｓｅｒ−Ｓｅｒ−Ｇｌｎ‐Ｖａｌ−Ｓｅｒ−Ｇｌｎ−Ａｓｎ−Ｔｙｒ，
　　　　　　　　（VIII）（３６）　
Ｖａｌ−Ｌｙｓ−Ｉｌｅ−Ｇｌｕ−Ｐｒｏ‐Ｌｅｕ−Ｇｌｙ−Ｖａｌ−Ａｌａ−Ｐｒｏ‐Ｔｈｒ−Ｌｙｓ−Ａｌａ−Ｌｙｓ−Ａｒｇ−Ａｒｇ−Ｖａｌ−Ｖａｌ−Ｇｌｎ‐Ａｒｇ−Ｇｌｕ−Ｌｙｓ−Ａｒｇ‐Ａｌａ，
　　　　　　　　（Ｘ）（３９）　
Ａｒｇ−Ｉｌｅ‐Ｌｅｕ−Ａｌａ−Ｖａｌ−Ｇｌｕ−Ａｒｇ−Ｔｙｒ−Ｌｅｕ−Ｌｙｓ−Ａｓｐ−Ｇｌｎ−Ｇｌｎ‐Ｌｅｕ−Ｌｅｕ−Ｇｌｙ−Ｉｌｅ‐　Ｔｒｐ−Ｇｌｙ−Ｃｙｓ−Ｓｅｒ−Ｇｌｙ−Ｌｙｓ−Ｌｅｕ−Ｉｌｅ‐Ｃｙｓ，
　　　　　　　　（XI）（４０）
Ｌｙｓ−Ｓｅｒ−Ｌｅｕ−Ｇｌｕ−Ｇｌｎ‐Ｉｌｅ−Ｔｒｐ−Ａｓｎ−Ａｓｎ−Ｍｅｔ‐Ｔｈｒ−Ｔｒｐ−Ｍｅｔ‐Ｇｌｕ−Ｔｒｐ−Ａｓｐ−Ａｒｇ−Ｇｌｕ−Ｉｌｅ‐Ａｓｎ 、又は
　　　　　　　　（XII）（２３）
Ｈｉｓ−Ｓｅｒ−Ｌｅｕ−Ｉｌｅ−Ｇｌｕ−Ｇｌｕ−Ｓｅｒ−Ｇｌｎ−Ａｓｎ−Ｇｌｎ−Ｇｌｎ−Ｇｌｕ−Ｌｙｓ−Ａｓｎ−Ｇｌｕ−Ｇｌｎ−Ｇｌｕ−Ｌｅｕ−Ｌｅｕ−Ｇｌｕ−Ｌｅｕ−Ａｓｐ−Ｌｙｓ−Ｔｒｐ，
からのＬＡＶ／ＨＴＬＶ−IIIの少なくとも８個の隣接するアミノ酸を有するペプチドであるか、あるいは
（Ｂ）上記アミノ酸配列（Ｉ），（II），（IV），（VI），（VII），（VIII），（Ｘ），（XI）又は（XII）において、１〜数個のアミノ酸の付加、失欠及び／又は他のアミノ酸による置換により修飾されているアミノ酸配列であって且つＬＡＶ／ＨＴＬＶ−IIIに対する抗体と反応性を有するか又は巨大分子と結合した場合に該反応性を有するペプチドであって、
　巨大分子（それに対する抗体はヒト血清中に実質的に存在しない）に結合しているか又は結合していないペプチドを使用することを特徴とする方法。」
を、
「１．サンプルを、ＬＡＶ／ＨＴＬＶ−IIIエピトープ部位と免疫学的に競争するエピトープ部位を有するペプチドと混合し、それによって抗体がそのようなべプチドと結合し、特異的結合対複合体を形成し、そして複合体形成の量を決定することを含んで成る、ＬＡＶ／ＨＴＬＶ−IIIウイルス又は ＬＡＶ／ＨＴＬＶ−IIIウイルスに対する抗体を検出するための方法において、アッセイ培地中に、８〜５０個のアミノ酸から成り、
　　　　　　　　（Ｉ）（１５）
Ａｓｐ‐Ｃｙｓ−Ｌｙｓ−Ｔｈｒ−Ｉｌｅ−Ｌｅｕ−Ｌｙｓ−Ａｌａ−Ｌｅｕ−Ｇｌｙ−Ｐｒｏ−Ａｌａ−Ａｌａ−Ｔｈｒ−Ｌｅｕ−Ｇｌｕ−Ｇｌｕ−Ｍｅｔ‐Ｍｅｔ−Ｔｈｒ−Ａｌａ−Ｃｙｓ，
　　　　　　　　（II）（１７）　
Ｌｅｕ−Ｌｙｓ−Ｇｌｕ−Ｔｈｒ−Ｉｌｅ−Ａｓｎ−Ｇｌｕ−Ｇｌｕ−Ａｌａ−Ａｌａ−Ｇｌｕ‐Ｔｒｐ−Ａｓｐ−Ａｒｇ−Ｖａｌ−Ｈｉｓ‐Ｐｒｏ‐Ｖａｌ−Ｈｉｓ‐Ａｌａ，
　　　　　　　　（IV）（９０）　
Ｔｙｒ−Ｓｅｒ−Ｐｒｏ−Ｔｈｒ−Ｓｅｒ−Ｉｌｅ‐Ｌｅｕ−Ａｓｐ−Ｉｌｅ−Ａｒｇ−Ｇｌｎ−Ｇｌｙ−Ｐｒｏ−Ｌｙｓ−Ｇｌｕ−Ｐｒｏ−Ｐｈｅ−Ａｒｇ−Ａｓｐ−Ｔｙｒ‐Ｖａｌ‐Ａｓｐ‐Ａｒｇ−Ｐｈｅ−Ｔｙｒ‐Ｌｙｓ‐Ｔｈｒ−Ｌｅｕ‐Ａｒｇ，
　　　　　　　　（VI）（９７）　
Ａｒｇ‐Ｇｌｕ‐Ｌｅｕ−Ｇｌｕ−Ａｒｇ−Ｐｈｅ‐Ａｌａ−Ｖａｌ−Ａｓｎ−Ｐｒｏ−Ｇｌｙ−Ｌｅｕ−Ｌｅｕ−Ｇｌｕ−Ｔｈｒ−Ｓｅｒ−Ｇｌｕ−Ｇｌｙ−Ｃｙｓ−Ａｒｇ−Ｇｌｎ−Ｉｌｅ−Ｌｅｕ−Ｇｌｙ−Ｇｌｎ−Ｌｅｕ−Ｇｌｎ−Ｐｒｏ−Ｓｅｒ−Ｌｅｕ−Ｇｌｎ−Ｔｈｒ，
　　　　　　　　（VII）（７１）　
Ａｓｐ−Ｔｈｒ−Ｇｌｙ−Ｈｉｓ‐Ｓｅｒ−Ｓｅｒ−Ｇｌｎ‐Ｖａｌ−Ｓｅｒ−Ｇｌｎ−Ａｓｎ−Ｔｙｒ，
　　　　　　　　（VIII）（３６）　
Ｖａｌ−Ｌｙｓ−Ｉｌｅ−Ｇｌｕ−Ｐｒｏ‐Ｌｅｕ−Ｇｌｙ−Ｖａｌ−Ａｌａ−Ｐｒｏ‐Ｔｈｒ−Ｌｙｓ−Ａｌａ−Ｌｙｓ−Ａｒｇ−Ａｒｇ−Ｖａｌ−Ｖａｌ−Ｇｌｎ‐Ａｒｇ−Ｇｌｕ−Ｌｙｓ−Ａｒｇ‐Ａｌａ，
　　　　　　　　（Ｘ）（３９）　
Ａｒｇ−Ｉｌｅ‐Ｌｅｕ−Ａｌａ−Ｖａｌ−Ｇｌｕ−Ａｒｇ−Ｔｙｒ−Ｌｅｕ−Ｌｙｓ−Ａｓｐ−Ｇｌｎ−Ｇｌｎ‐Ｌｅｕ−Ｌｅｕ−Ｇｌｙ−Ｉｌｅ‐　Ｔｒｐ−Ｇｌｙ−Ｃｙｓ−Ｓｅｒ−Ｇｌｙ−Ｌｙｓ−Ｌｅｕ−Ｉｌｅ‐Ｃｙｓ，
　　　　　　　　（XI）（４０）
Ｌｙｓ−Ｓｅｒ−Ｌｅｕ−Ｇｌｕ−Ｇｌｎ‐Ｉｌｅ−Ｔｒｐ−Ａｓｎ−Ａｓｎ−Ｍｅｔ‐Ｔｈｒ−Ｔｒｐ−Ｍｅｔ‐Ｇｌｕ−Ｔｒｐ−Ａｓｐ−Ａｒｇ−Ｇｌｕ−Ｉｌｅ‐Ａｓｎ 、又は
　　　　　　　　（XII）（２３）　
Ｈｉｓ‐Ｓｅｒ‐Ｌｅｕ‐Ｉｌｅ‐Ｇｌｕ−Ｇｌｕ−Ｓｅｒ−Ｇｌｎ−Ａｓｎ−Ｇｌｎ−Ｇｌｎ‐Ｇｌｕ‐Ｌｙｓ‐Ａｓｎ‐Ｇｌｕ‐Ｇｌｎ‐Ｇｌｕ‐Ｌｅｕ−Ｌｅｕ−Ｇｌｕ−Ｌｅｕ−Ａｓｐ−Ｌｙｓ−Ｔｒｐ，
からの ＬＡＶ／ＨＴＬＶ−IIIの少なくとも８個の隣接するアミノ酸を有するべプチド
〔但し、次のアミノ酸配列：　　
（ａ）Ｍｅｔ−Ｌｅｕ−Ｌｙｓ−Ｇｌｕ‐Ｔｈｒ−Ｉｌｅ‐Ａｓｎ−Ｇｌｕ−Ｇｌｕ−Ａｌａ−Ａｌａ−Ｇｌｕ−Ｔｒｐ−Ａｓｐ−Ａｒｇ−Ｖａｌ‐Ｈｉｓ−Ｐｒｏ‐Ｖａｌ−Ｈｉｓ−Ａｌａ；　
（ｂ）Ｇｌｙ−Ｐｒｏ−Ｌｙｓ−Ｇｌｕ−Ｐｒｏ‐Ｐｈｅ−Ａｒｇ−Ａｓｐ‐Ｔｙｒ−Ｖａｌ−Ａｓｐ−Ａｒｇ−Ｐｈｅ−Ｔｙｒ−Ｌｙｓ−Ｔｈｒ−Ｌｅｕ−Ａｒｇ−Ａｌａ−Ｇｌｕ−Ｇｌｎ−Ａｌａ−Ｓｅｒ−Ｇｌｎ‐Ｇｌｕ−Ｖａｌ−Ｌｙｓ‐Ａｓｎ−Ｔｒｐ−Ｍｅｔ‐Ｔｈｒ−Ｇｌｕ−Ｔｈｒ−Ｌｅｕ−Ｌｅｕ‐Ｖａｌ‐Ｇｌｎ‐Ａｓｎ‐Ａｌａ−Ａｓｎ−Ｐｒｏ−Ａｓｐ−Ｃｙｓ−Ｌｙｓ；　　
（ｃ）Ａｌａ−Ｓｅｒ−Ａｒｇ−Ｇｌｕ−Ｌｅｕ−Ｇｌｕ−Ａｒｇ−Ｐｈｅ−Ａｌａ−Ｖａｌ；　
（ｄ）Ｐｒｏ−Ｔｈｒ−Ｌｙｓ−Ａｌａ‐Ｌｙｓ−Ａｒｇ‐Ａｒｇ−Ｖａｌ−Ｖａｌ−Ｇｌｎ−Ａｒｇ−Ｇｌｕ−Ｌｙｓ−Ａｒｇ；　
（ｅ）Ａｌａ−Ｖａｌ−Ｇｌｕ−Ａｒｇ−Ｔｙｒ−Ｌｅｕ−Ｌｙｓ−Ａｓｐ−Ｇｌｎ−Ｇｌｎ；及び　　　
（ｆ）Ｌｅｕ−Ｉｌｅ−Ｇｌｕ−Ｇｌｕ−Ｓｅｒ−Ｇｌｎ−Ａｓｎ−Ｇｌｎ−Ｇｌｎ−Ｇｌｕ−Ｌｙｓ‐Ａｓｎ‐Ｇｌｕ‐Ｇｌｎ‐Ｇｌｕ−Ｌｅｕ−Ｌｅｕ−Ｇｌｕ−Ｌｅｕ−Ａｓｐ−Ｌｙｓ−Ｔｒｐ−Ａｌａ
から成るべプチド並びにこれらのべプチドの等価物を除く〕であって、
　巨大分子（それに対する抗体はヒト血清中に実質的に存在しない）に結合しているか又は結合していないべプチドを使用することを特徴とする方法。」
に訂正する。
　
ｂ．特許請求の範囲第７項
「７．ＬＡＶ／ＨＴＬＶ−IIIエピトープ部位と免疫学的に競争するエピトープ部位を有するペプチドを含んで成る試薬であって、前記ペプチドが８〜５０個アミノ酸から成り、
（Ａ）そして下記アミノ酸配列：
　　　　（Ｉ）（１５）
　（アミノ酸配列記載　省略）
　　　　　（II）（１７）
　（アミノ酸配列記載　省略）
　　　　（IV）（９０）
　（アミノ酸配列記載　省略）
　　　　（VI）（９７）　
　（アミノ酸配列記載　省略）
　　　　（VII）（７１）
　（アミノ酸配列記載　省略）
　　　　（VIII）（３６）
　（アミノ酸配列記載　省略）
        （Ｘ）（３９）
　（アミノ酸配列記載　省略）
　　　　（XI）（４０）
　（アミノ酸配列記載　省略）、又は
　　　　（XII）（２３）
　（アミノ酸配列記載　省略），
からのＬＡＶ／ＨＴＬＶ−IIIの少なくとも８個の隣接するアミノ酸を有するペプチドであるか、あるいは
（Ｂ）上記アミノ酸配列（Ｉ），（II），（IV），（VI），（VII），（VIII），（Ｘ），（XI）又は（XII）において、１〜数個のアミノ酸の付加、失欠及び／又は他のアミノ酸による置換により修飾されているアミノ酸配列であって且つＬＡＶ／ＨＴＬＶ−IIIに対する抗体と反応性を有するか又は巨大分子と結合した場合に該反応性を有するペプチドであって、
　巨大分子（それに対する抗体はヒト血清中に実質的に存在しない）に結合しているか又は結合していないペプチドであることを特徴とする試薬。」
を
「７．ＬＡＶ／ＨＴＬＶ−IIIエピトープ部位と免疫学的に競争するエピトープ部位を有するペプチドを含んで成る試薬であって、前記ペプチドが８〜５０個アミノ酸から成り、
　　　　　　　　（Ｉ）（１５）
Ａｓｐ‐Ｃｙｓ−Ｌｙｓ−Ｔｈｒ−Ｉｌｅ−Ｌｅｕ−Ｌｙｓ−Ａｌａ−Ｌｅｕ−Ｇｌｙ−Ｐｒｏ−Ａｌａ−Ａｌａ−Ｔｈｒ−Ｌｅｕ−Ｇｌｕ−Ｇｌｕ−Ｍｅｔ‐Ｍｅｔ−Ｔｈｒ−Ａｌａ−Ｃｙｓ，
　　　　　　　　（II）（１７）　
Ｌｅｕ−Ｌｙｓ−Ｇｌｕ−Ｔｈｒ−Ｉｌｅ−Ａｓｎ−Ｇｌｕ−Ｇｌｕ−Ａｌａ−Ａｌａ−Ｇｌｕ‐Ｔｒｐ−Ａｓｐ−Ａｒｇ−Ｖａｌ−Ｈｉｓ‐Ｐｒｏ‐Ｖａｌ−Ｈｉｓ‐Ａｌａ，
　　　　　　　　（IV）（９０）　
Ｔｙｒ−Ｓｅｒ−Ｐｒｏ−Ｔｈｒ−Ｓｅｒ−Ｉｌｅ‐Ｌｅｕ−Ａｓｐ−Ｉｌｅ−Ａｒｇ−Ｇｌｎ−Ｇｌｙ−Ｐｒｏ−Ｌｙｓ−Ｇｌｕ−Ｐｒｏ−Ｐｈｅ−Ａｒｇ−Ａｓｐ−Ｔｙｒ‐Ｖａｌ‐Ａｓｐ‐Ａｒｇ−Ｐｈｅ−Ｔｙｒ‐Ｌｙｓ‐Ｔｈｒ−Ｌｅｕ‐Ａｒｇ，
　　　　　　　　（VI）（９７）　
Ａｒｇ‐Ｇｌｕ‐Ｌｅｕ−Ｇｌｕ−Ａｒｇ−Ｐｈｅ‐Ａｌａ−Ｖａｌ−Ａｓｎ−Ｐｒｏ−Ｇｌｙ−Ｌｅｕ−Ｌｅｕ−Ｇｌｕ−Ｔｈｒ−Ｓｅｒ−Ｇｌｕ−Ｇｌｙ−Ｃｙｓ−Ａｒｇ−Ｇｌｎ−Ｉｌｅ−Ｌｅｕ−Ｇｌｙ−Ｇｌｎ−Ｌｅｕ−Ｇｌｎ−Ｐｒｏ−Ｓｅｒ−Ｌｅｕ−Ｇｌｎ−Ｔｈｒ，
　　　　　　　　（VII）（７１）　
Ａｓｐ−Ｔｈｒ−Ｇｌｙ−Ｈｉｓ‐Ｓｅｒ−Ｓｅｒ−Ｇｌｎ‐Ｖａｌ−Ｓｅｒ−Ｇｌｎ−Ａｓｎ−Ｔｙｒ，
　　　　　　　　（VIII）（３６）　
Ｖａｌ−Ｌｙｓ−Ｉｌｅ−Ｇｌｕ−Ｐｒｏ‐Ｌｅｕ−Ｇｌｙ−Ｖａｌ−Ａｌａ−Ｐｒｏ‐Ｔｈｒ−Ｌｙｓ−Ａｌａ−Ｌｙｓ−Ａｒｇ−Ａｒｇ−Ｖａｌ−Ｖａｌ−Ｇｌｎ‐Ａｒｇ−Ｇｌｕ−Ｌｙｓ−Ａｒｇ‐Ａｌａ，
　　　　　　　　（Ｘ）（３９）　
Ａｒｇ−Ｉｌｅ‐Ｌｅｕ−Ａｌａ−Ｖａｌ−Ｇｌｕ−Ａｒｇ−Ｔｙｒ−Ｌｅｕ−Ｌｙｓ−Ａｓｐ−Ｇｌｎ−Ｇｌｎ‐Ｌｅｕ−Ｌｅｕ−Ｇｌｙ−Ｉｌｅ‐　Ｔｒｐ−Ｇｌｙ−Ｃｙｓ−Ｓｅｒ−Ｇｌｙ−Ｌｙｓ−Ｌｅｕ−Ｉｌｅ‐Ｃｙｓ，
　　　　　　　　（XI）（４０）
Ｌｙｓ−Ｓｅｒ−Ｌｅｕ−Ｇｌｕ−Ｇｌｎ‐Ｉｌｅ−Ｔｒｐ−Ａｓｎ−Ａｓｎ−Ｍｅｔ‐Ｔｈｒ−Ｔｒｐ−Ｍｅｔ‐Ｇｌｕ−Ｔｒｐ−Ａｓｐ−Ａｒｇ−Ｇｌｕ−Ｉｌｅ‐Ａｓｎ 、又は
　　　　　　　　（XII）（２３）　
Ｈｉｓ‐Ｓｅｒ‐Ｌｅｕ‐Ｉｌｅ‐Ｇｌｕ−Ｇｌｕ−Ｓｅｒ−Ｇｌｎ−Ａｓｎ−Ｇｌｎ−Ｇｌｎ‐Ｇｌｕ‐Ｌｙｓ‐Ａｓｎ‐Ｇｌｕ‐Ｇｌｎ‐Ｇｌｕ‐Ｌｅｕ−Ｌｅｕ−Ｇｌｕ−Ｌｅｕ−Ａｓｐ−Ｌｙｓ−Ｔｒｐ，
からの ＬＡＶ／ＨＴＬＶ−IIIの少なくとも８個の隣接するアミノ酸を有するべプチド
〔但し、次のアミノ酸配列：　　
（ａ）Ｍｅｔ−Ｌｅｕ−Ｌｙｓ−Ｇｌｕ‐Ｔｈｒ−Ｉｌｅ‐Ａｓｎ−Ｇｌｕ−Ｇｌｕ−Ａｌａ−Ａｌａ−Ｇｌｕ−Ｔｒｐ−Ａｓｐ−Ａｒｇ−Ｖａｌ‐Ｈｉｓ−Ｐｒｏ‐Ｖａｌ−Ｈｉｓ−Ａｌａ；　
（ｂ）Ｇｌｙ−Ｐｒｏ−Ｌｙｓ−Ｇｌｕ−Ｐｒｏ‐Ｐｈｅ−Ａｒｇ−Ａｓｐ‐Ｔｙｒ−Ｖａｌ−Ａｓｐ−Ａｒｇ−Ｐｈｅ−Ｔｙｒ−Ｌｙｓ−Ｔｈｒ−Ｌｅｕ−Ａｒｇ−Ａｌａ−Ｇｌｕ−Ｇｌｎ−Ａｌａ−Ｓｅｒ−Ｇｌｎ‐Ｇｌｕ−Ｖａｌ−Ｌｙｓ‐Ａｓｎ−Ｔｒｐ−Ｍｅｔ‐Ｔｈｒ−Ｇｌｕ−Ｔｈｒ−Ｌｅｕ−Ｌｅｕ‐Ｖａｌ‐Ｇｌｎ‐Ａｓｎ‐Ａｌａ−Ａｓｎ−Ｐｒｏ−Ａｓｐ−Ｃｙｓ−Ｌｙｓ；　　
（ｃ）Ａｌａ−Ｓｅｒ−Ａｒｇ−Ｇｌｕ−Ｌｅｕ−Ｇｌｕ−Ａｒｇ−Ｐｈｅ−Ａｌａ−Ｖａｌ；　
（ｄ）Ｐｒｏ−Ｔｈｒ−Ｌｙｓ−Ａｌａ‐Ｌｙｓ−Ａｒｇ‐Ａｒｇ−Ｖａｌ−Ｖａｌ−Ｇｌｎ−Ａｒｇ−Ｇｌｕ−Ｌｙｓ−Ａｒｇ；　
（ｅ）Ａｌａ−Ｖａｌ−Ｇｌｕ−Ａｒｇ−Ｔｙｒ−Ｌｅｕ−Ｌｙｓ−Ａｓｐ−Ｇｌｎ−Ｇｌｎ；及び　　　
（ｆ）Ｌｅｕ−Ｉｌｅ−Ｇｌｕ−Ｇｌｕ−Ｓｅｒ−Ｇｌｎ−Ａｓｎ−Ｇｌｎ−Ｇｌｎ−Ｇｌｕ−Ｌｙｓ‐Ａｓｎ‐Ｇｌｕ‐Ｇｌｎ‐Ｇｌｕ−Ｌｅｕ−Ｌｅｕ−Ｇｌｕ−Ｌｅｕ−Ａｓｐ−Ｌｙｓ−Ｔｒｐ−Ａｌａ
から成るべプチド並びにこれらのべプチドの等価物を除く〕であって、
　巨大分子（それに対する抗体はヒト血清中に実質的に存在しない）に結合しているか又は結合していないペプチドであることを特徴とする試薬。」
に訂正する。
　
２．当審の判断
　そこで、これらの訂正事項について検討すると、上記ａ、ｂの訂正は、いずれも特許請求の範囲の減縮を目的とするものである。
　そして、上記各訂正は、願書に添付した明細書の記載の範囲内のものであって、かつ、実質上特許請求の範囲を拡張し又は変更するものではない。
　また、訂正後における特許請求の範囲に記載された発明は、本件特許に対する特許異議の取消決定において引用された先願、特願昭６０−５０４８５３号（パリ条約による優先権主張（１９８４年１０月１８日、フランス）、１９８５年１０月１８日国際出願、特表昭６２−５００５９２号公報、国際公開ＷＯ８６／０２３８３号参照）に記載された発明とは、同一である部分が削除され、区別することができるものとなったものであるから、特許出願の際独立して特許を得ることができない発明でもない。
　
３．むすび
　したがって、本件審判請求は、平成６年改正前の特許法第１２６条第１項第１号ないし第３号に掲げる事項を目的とし、かつ同条第１項ただし書き、第２項ないし第３項の規定に適合する。
　よって、結論のとおり審決する。